(57)【特許請求の範囲】
【請求項１】
下部に通水部を有し、地盤に埋設される外管と、前記外管とほぼ同じ長さを有し、前記外管内に隙間を介して配置され、下端部に地下水流入口を有する内管と、外管の上端部と内管の上端部とを遮蔽するための遮蔽部材と、内管内を減圧するための減圧手段と、前記地下水流入口から内管内に入った地下水を汲み上げる揚水手段とを含む地下水揚水装置であって、
前記地下水流入口は、内管の下端面に形成されると共に、外管の下端部よりもわずかに上方で且つ通水部の上端部よりも下方に位置し、前記内管は、内管の軸方向に延出するようにその下端部側面に形成される細長い形状の少なくとも１つのエア抜き用スリットよりなるエア流入部を有し、前記エア流入部は地下水流入口から通水部の上端よりも下方の位置までの範囲にわたって形成され、前記エア流入部の下部の開口量は、上部の開口量よりも大きいことを特徴とする地下水揚水装置。
【請求項２】
下部に通水部を有し、地盤に埋設される外管と、前記外管とほぼ同じ長さを有し、前記外管内に隙間を介して配置され、下端部に地下水流入口を有する内管と、外管の上端部と内管の上端部とを遮蔽するための遮蔽部材と、内管内を減圧するための減圧手段と、前記地下水流入口から内管内に入った地下水を汲み上げる揚水手段とを含む地下水揚水装置であって、
前記地下水流入口は、内管の下端面に形成されると共に、外管の下端部よりもわずかに上方で且つ通水部の上端部よりも下方に位置し、前記内管は、内管の軸方向に沿って配列するようにその下端部側面に形成される複数個のエア抜き用孔によりなるエア流入部を有し、前記エア流入部は地下水流入口から通水部の上端よりも下方の位置までの範囲にわたって形成され、前記エア流入部の下部の開口量は、上部の開口量よりも大きいことを特徴とする地下水揚水装置。
【請求項３】
上記外管は、外管の軸方向の複数箇所に通水部を有することを特徴とする請求項１もしくは２に記載の地下水揚水装置。
【請求項４】
上記内管内の圧力を検出するための圧力検出手段と、揚水量を調整するための揚水量調整手段とをさらに含むことを特徴とする請求項１もしくは２に記載の地下水揚水装置。
【請求項５】
内管内を加圧するための加圧手段と、内管内に水を加圧注入するための水注入手段とをさらに含むことを特徴とする請求項４に記載の地下水揚水装置。
【発明の詳細な説明】
技術分野
本発明は、地下工事のために地盤を掘削したり、あるいは地盤改良等を行う際に地下水位を低下させるために地下水を揚水するための地下水揚水装置に関するものである。
背景技術
従来から地下工事のために地盤を掘削したり、あるいは地盤改良等を行う際に地下水位を低下させるために地下水を揚水することが行われている。このように地下水を揚水して地下水位を低下させることで目的とする地盤の土砂の含水率が低下し、掘削工事や掘削した土砂の処理が容易になる。
地下水揚水装置としては、従来からディープウエル装置が知られている。例えば、図１１に示される従来のディープウエル装置においては、地下水を内部に通す通水部４１(ストレーナ部)を有する井戸４０が地盤４２の穿孔４３内に挿入される。また、井戸４０内には、揚水ポンプ４６が配置される。穿孔４３内壁と井戸４０の外周との間の間隙には、荒砂や豆砂利等のフィルター材４５が充填される。自然水位と井戸４０内の水位との水頭差を利用して通水部４１から井戸４０内に地下水を流入させ、集水した地下水が揚水ポンプ４６により揚水される。
しかしながら、このディープウエル装置は自然水位と井戸４０内水位との水頭差を利用して集水するので、その集水能力は重力差に依存する。このため、効果的に地下水位を下げて集水することができなかった。
また、このディープウエル装置に減圧手段を設けて井戸内を減圧することにより地下水位を効果的に下げることができるバキュームディープウエル装置も知られている。しかしながら、このバキュームディープウエル装置においては、地下水位が通水部の上端部よりも下がると通水部を介して井戸内に地下水と一緒に空気が井戸内に流れ込み、急激に減圧手段のバキューム効果が低下するという問題がある。このように、地下水の集水／揚水作業を安定して提供するという点で依然として改良の余地がある。
また、特開平２０００−２７１７０号に開示されている地下水揚水装置は、図１２に示すように、地盤４２に埋設されたケーシング管４７の下端部にストレーナ装置４８が設けられている。このストレーナ装置４８は、ケーシング管４７の下端部に取付けられるストレーナ筒部４９と、ストレーナ筒部４９の下端部に設けた砂溜まり部５０と、ストレーナ筒部４９内にケーシング管４７と同心状に取付けられた内管部５１とで構成される。ストレーナ筒部４９は、ケーシング管４７の外面がストレーナ筒部４９の外面とほぼ面一となるよう取付けられている。ストレーナ筒部４９と内管部５１との間には隙間５２が形成され、隙間５２の上端部は、ケーシング管４７の下端部に設けた閉塞板５３で閉塞される。内管部５１に設けた地下水流入孔５４は、ストレーナ筒部４９に設けた通水部５５の上端部よりも下方に位置する。また、内管部５１内には地下水を汲み上げる揚水ポンプ５６が配置される。ケーシング管４７の上端部は、蓋５８により閉塞される。図１２において、番号５７は、内管部５１に連通したケーシング管４７内を減圧するための減圧手段５７である。
この揚水装置によれば、水頭差及び減圧手段５７により内管部５１に連通したケーシング管４７内を減圧すると、バキューム力により地下水がストレーナ筒部４９の通水部５５から隙間５２および地下水流入孔５４を介して内管部５１内に流れ込み、内管部５１内に集水される。内管部５１内に集水された地下水は、揚水ポンプ５６により汲み上げられる。地下水位が通水部５５の上端よりも下方に位置したとしても、地下水流入孔５４よりも上方に位置していれば、空気が内管部５１内に侵入することがない。したがって、上記したバキュームディープウエル装置のように空気の吸い込みによるバキューム効果の低下を防ぐことができる。
しかしながら、この地下水揚水装置においては、ケーシング管４７の下端部にストレーナ装置が配設されるので、すでに地盤１に集水効果の悪い他のディープウエル装置が埋設してある場合には、そのディープウエル装置による集水／揚水作業を停止し、新たに特開平２０００−２７１７０号の揚水装置を地盤１に埋設する工事を行って、集水／揚水作業を実施しなければならない。したがって、既設のディープウエル装置が無駄になるとともに、別構造の地下水揚水装置の埋設工事が必要になるという問題がある。
また、特開平２０００−２７１７０号の地下水揚水装置は、ケーシング管４７の下端部にストレーナ筒部４９、隙間５２、内管部５１よりなるストレーナ装置４８を設けた構造であるため、ケーシング管４７の下部に設けたストレーナ装置４８の部分でしか地下水を集水できない。したがって、地層の関係でケーシング管４７の上部に地下水がある場合は効果的に集水できない恐れがある。更に、この揚水装置においては、水位が低下して内管部５１に設けた地下水流入孔５４まで水位が下がると、水の代りに空気が内管部５１内にいっきに侵入するので、バキューム効果が急激に低下する。このため、地下水位が再び上昇するまで揚水ポンプ５６を止めて待機しなければならない。その後、水位が上昇すれば、減圧手段５７により内管部５１内を所定値に減圧し、揚水ポンプ５６を駆動して集水／揚水作業が再開される。このように、連続して安定した集水／揚水作業を行えない場合がある。
発明の開示
そこで、本発明は上記問題点に鑑みてなされたものであり、その目的とするところは、洗練された構成により効果的に集水／揚水作業を行え、しかも、既設のディープウエル装置を有効利用できる地下水揚水装置を提供することにある。また、本発明の地下水揚水装置によれば、地盤の上部の地下水であっても効果的に且つ安定した集水／揚水作業を実施することができ、さらに、地盤への注水を効果的に行えて地下水の通り道を確保することができる。
すなわち、本発明に係る地下水揚水装置は、下部に通水部２を有し、地盤１に埋設される外管３と、外管３とほぼ同じ長さを有し、外管内に隙間４を介して配置され、下端部に地下水流入口７を有する内管５と、外管３の上端部と内管５の上端部とを遮蔽するための遮蔽部材６と、内管内を減圧するための減圧手段８と、地下水流入口７から内管５内に入った地下水を汲み上げる揚水手段９とを含む地下水揚水装置であって、
地下水流入口７は、内管５の下端面に形成されると共に、外管３の下端部よりもわずかに上方で且つ通水部２の上端部よりも下方に位置し、内管５は、内管の軸方向に延出するようにその下端部側面に形成される細長い形状の少なくとも１つのエア抜き用スリット２２よりなるエア流入部１１を有し、エア流入部１１は地下水流入口７から通水部２の上端よりも下方の位置までの範囲にわたって形成され、エア流入部１１の下部の開口量は、上部の開口量よりも大きいことを特徴とする。
上記地下水揚水装置において、減圧手段８により内管５内を減圧すると、地盤１中の地下水が外管３の通水部２から隙間４に入る。次いで、地下水は、隙間４から内管５の地下水流入口７を介して内管５内に流れ込む。内管５内に流入した地下水は揚水手段９により揚水される。この場合、地下水位が通水部２の上端部よりも下方に位置すると通水部２から空気が隙間４に進入するが、地下水流入口７を通水部２の上端部よりも下方に位置させてあるので、隙間４に進入した空気は隙間４の上部に集まり、内管５の内側に進入せず、減圧手段８によるバキューム効果の低減を防ぐことができ、集水／揚水作業を効率よく行うことができる。
また、外管３と内管５とをほぼ同じ長さとしてあるので、地盤１中にディープウエル工法の井戸や、バキュームディープウエル工法の井戸や、あるいは地盤調査用試験井戸や、あるいはリチャージウェル等の各種口径の井戸がすでに形成されている場合であっても、これら既設の井戸を外管３としてそのまま利用することができる。すなわち、外管３となる既設の井戸内に隙間４を介して外管３となる井戸とほぼ同じ長さの内管５を挿入し、外管３の上端部と内管５の上端部とを遮蔽部材６により遮蔽するとともに、減圧手段８と揚水手段９とを設ければ、既設の井戸を本発明の地下水揚水装置のために再利用することができる。
また、揚水中に地下水の水位が地下水流入口７のレベルまで下がる前にエア流入部１１から少量の空気が内管５内に流れ込んで内管５内の圧力が少し高くなる。この内管５内の圧力変化に応じて揚水手段９による揚水量を調整すれば、急激な地下水の低下を未然に防止でき、大量の空気が地下水流入口７から急激に内管に流入して揚水不能になるというような現象を避けることができる。さらに、エア流入部１１が内管５の軸方向に延出する細長いスリット２２によって形成されるので、地下水位が低下するほどスリット２２から内管５内に流れ込む空気量が増加し、この内管５内の圧力変化に基づいて揚水量の調整を精度良く行うことができる。しかも、エア流入部１１の下部の開口量が上部の開口量よりも大きいので、水位が低下するにつれて、内管５内への空気の流入量が二次関数的に増大して、エア流入部１１における微小な水位変動も正確に検出することが可能になる。
また、本発明に係る別の地下水揚水装置は、下部に通水部２を有し、地盤１に埋設される外管３と、外管３とほぼ同じ長さを有し、外管内に隙間４を介して配置され、下端部に地下水流入口７を有する内管５と、外管３の上端部と内管５の上端部とを遮蔽するための遮蔽部材６と、内管内を減圧するための減圧手段８と、前記地下水流入口７から内管５内に入った地下水を汲み上げる揚水手段９とを含む地下水揚水装置であって、
地下水流入口７は、内管５の下端面に形成されると共に、外管３の下端部よりもわずかに上方で且つ通水部２の上端部よりも下方に位置し、内管５は、内管の軸方向に沿って配列するようにその下端部側面に形成される複数個のエア抜き用孔２３によりなるエア流入部１１を有し、エア流入部１１は地下水流入口７から通水部２の上端よりも下方の位置までの範囲にわたって形成され、エア流入部１１の下部の開口量は、上部の開口量よりも大きいことを特徴とする。
この地下水揚水装置においては、揚水中に地下水の水位が地下水流入口７のレベルまで下がる前に複数個のエア抜き用孔２３よりなるエア流入部１１から少量の空気が内管５内に流れ込んで内管５内の圧力が少し高くなる。この内管５内の圧力変化に応じて揚水手段９による揚水量を調整すれば、急激な地下水の低下を未然に防止でき、大量の空気が地下水流入口７から急激に内管に流入して揚水不能になるというような現象を避けることができる。さらに、エア流入部１１が内管の軸方向に形成された複数個のエア抜き用孔２３によって構成されるので、地下水位が低下するほどエア抜き用孔２３を介して内管５内に流れ込む空気量が増加し、この内管５内の圧力変化に基づいて揚水量の調整を精度良く行うことができる。しかも、エア流入部１１の下部の開口量が上部の開口量よりも大きいので、水位が低下するにつれて、内管５内への空気の流入量が二次関数的に増大して、エア流入部１１における微小な水位変動も正確に検出することが可能になる。
上記した地下水揚水装置において、外管３は、外管の軸方向の複数箇所に通水部２を有することが好ましい。この場合は、地下水の集水効率のさらなる改善を達成することができる。
さらに、上記した地下水揚水装置は、内管内の圧力を検出するための圧力検出手段１２と、揚水量を調整するための揚水量調整手段１３とをさらに含むことが好ましい。安定した揚水を継続して提供する場合に効果的である。
さらに、上記した地下水揚水装置は、内管内を加圧するための加圧手段１４と、内管内に水を加圧注入するための水注入手段１５とをさらに含むことが好ましい。この場合は、通水部２や外管３の周囲のフィルター材１６や地盤１の目詰まりの洗浄ができて、より効果的な集水／揚水作業を提供することができる。
発明を実施するための最良の実施形態
以下、本発明を添付図面に示す実施形態に基づいて詳細に説明する。
地下水揚水装置は、図１に示すように、地盤１に埋設される外管３と、外管３内に隙間４を介して挿入される外管３とほぼ同じ長さの内管５と、外管３の上端部と内管５の上端部とを遮蔽するための遮蔽部材６と、内管５内を減圧するための減圧手段８と、内管５内に溜まった地下水を汲み上げる揚水手段９とで主に構成される。
外管３は、少なくとも下部に通水部２を有している。例えば、鋼管よりなる筒２９の下端部にストレーナ筒部３０を設けて外管３とすることができる。ストレーナ筒部３０は、筒２９と同径の円筒形状を有し、所定の間隔で通水部２となる隙間が形成されるように鋼線が巻かれた構造とすることができる。あるいは、通水部２となる多数の孔を開けた孔あき筒によりストレーナ筒部３０を構成してもよい。つまり、通水部２は、隙間から地下水を内部に流入させることができる構造になっていれば良い。図中、番号１７は、ストレーナ筒部３０の下端部には設けた砂溜まりであり、砂溜まり１７の底が外管３の底部１０である。
内管５は、外管３とほぼ同じ長さの鋼管により形成され、下端面は全面が開口していて地下水流入口７として機能する。この内管５は、外管３内に隙間４を介して同心状に挿入配置され、内管５の地下水流入口７は、外管３の下端部の底部１０よりわずかに上方に位置している。また、地下水流入口７は、通水部２の上端部よりも下方に位置している。
図２乃至図７に示す地下水揚水装置は、地下水流入口７よりも上方で内管５の下端部側面にエア流入部１１を設けている点に特徴がある。図２に示す地下水揚水装置においては、内管の下端部側面に内管の軸方向に延出する細長いエア抜き用スリット２２が複数個形成されている。このスリット２２は、地下水流入口７から通水部２の上端よりも下方の位置までの長さを有する。このスリット２２がエア流入部１１を提供する。また、図３に示す地下水揚水装置においては、内管の下端部側面に内管の軸方向に配列させた複数個のエア抜き用孔２３が形成されている。この孔２３の配列は、地下水流入口７から通水部２の上端よりも下方の位置までの長さを有する。この孔２３がエア流入部１１を提供する。
また、図４および図５に本発明の好ましい実施例の地下水揚水装置を示し、図６および図７に本発明の他の好ましい実施例の地下水揚水装置を示す。これらの揚水装置の各々においては、下部の開口量が上部の開口量よりも大きいエア流入部１１が図示されている。すなわち、図４の地下水揚水装置において、スリット２２の各々は、内管の上方側に向かうにつれて先細りになるような三角形状を有する。また、図５の地下水揚水装置において、スリット２２の各々は、幅狭の上部スリットと幅広の下部スリットとで構成される。また、図６の地下水揚水装置において、複数のエア抜き用孔２３は、内管の下方側に向かうにつれてエア抜き用孔２３の数が多くなるように形成されている。また、図７の地下水揚水装置において、複数のエア抜き用孔２３は、内管の下方側に向かうにつれてエア抜き用孔２３の直径が大きくなるように形成されている。尚、エア流入部１１の下部の開口量を上部の開口量よりも大きくする場合は、図４〜図７の形態に限定されず、エア流入部１１の下部の開口量を上部の開口量よりも大きくするという目的を達成できるような形態であれば良い。
外管３の上端部と内管５の上端部は、蓋のような遮蔽部材６により遮蔽される。内管５内の下端部の地下水流入口７付近には揚水手段９として揚水ポンプ２４が配置されている。揚水ポンプ２４に接続した揚水管２５が遮蔽部材６を気密的に貫通して外部に導出され、この遮蔽部材６の外側には流量調整弁よりなる揚水量調整手段１３を設けてある。
遮蔽部材６には通気孔２８が設けてあり、この通気孔２８に減圧手段８である真空ポンプ２６が接続管２７を介して接続される。真空ポンプ２６を運転することで、内管５内を減圧することができる。図中、番号１２は、内管５内の圧力を検出するための圧力計等の圧力検出手段１２を示す。
上記のような構成の地下水揚水装置は、地下工事のために地盤１を掘削したり、あるいは地盤改良などを行う際に地下水を揚水して地下水位を低下させるために使用される。すなわち、地下水を揚水しようとする地盤１に外管３よりも径の大きい穿孔１８をまず掘削する。次いで、この穿孔１８に地下水揚水装置の外管３を挿入する。この際、穿孔１８の内壁と外管３の外周面との間に荒砂や豆砂利等のフィルター材１６が充填される。また、穿孔１８の上部内壁と外管３の上部外周面との間にセメントモルタルやベントナイトモルタル等のシール材１９が充填される。シール材１９の代りに、穿孔１８の上部内壁と外管３の上部外周面との間にバルーンを入れ、バルーンを膨らませてそれらの間をシールする他のシール手段を採用しても良い。
地下水を揚水する場合、減圧手段８により内管５内を減圧すると、地盤１中の地下水が外管３の通水部２を介して隙間４に流入する。さらに、隙間４から内管５の下端部の地下水流入口７を介して内管５内に強制的に地下水が流入する。内管５内に溜まった地下水は、揚水手段９である揚水ポンプを駆動することで揚水される。この場合、地下水位が低下して通水部２の上端部に至ると、地盤１中に存在する空気が通水部２から隙間４に進入するが、内管５の地下水流入口７を通水部２の上端部よりも下方に位置させてあるので、隙間４に進入したエアは隙間４の上部に集まり、内管５内に進入することができない。したがって、内管５内には地下水流入口７から地下水のみが流入することになる。尚、通水部２の上端部より下方に位置するエア流入部１１からも少量の地下水が内管５内に流れ込む。このように、地下水位が低下して通水部２の上端部に至ったとしても空気が内管５内に流入して減圧手段８のバキューム効果が低下するといった不都合の発生を防ぐことができる。
また、地下水位が通水部２の上端部よりも下方に位置するエア流入部１１の上端まで低下すると、通水部２から隙間４に進入した空気の一部がエア流入部１１の上部から内管５内に流入する。このような場合でも、内管５の地下水流入口７から空気が内管内に流入することはない。したがって、この場合は、内管５内に少量の空気が混入して内管５内の圧力を若干増加させるが、減圧手段８によるバキューム効果が急激に低下するまでには至らず、地下水流入口７から内管５内への地下水の流入は依然として安定に維持される。したがって、揚水手段９による地下水の揚水作業を依然として安定に継続することができる。
地下水の水位がエア流入部１１に至った状態で揚水手段９による地下水の揚水量を水位低下前と同じ量で揚水し続けると、地下水位が更に低下し、ついには内管５の下端開口である地下水流入口７まで地下水の水位が低下する恐れがある。地下水位が地下水流入口７に達すると、エア流入部１１よりもはるかに開口面積の大きい地下水流入口７から一度に大量の空気が内筒５内に流入して急激に内管５内の圧力が高くなり、バキューム効果による内管５への地下水流入が大幅に減少する。このような場合は、揚水手段９による揚水を停止し、地下水の水位の上昇を待つと共に減圧手段８によって内筒５内を再び所定の減圧状態にし、その後、再び揚水手段９により揚水する必要がある。このように、揚水作業の中断が引き起こされる恐れがある。
そこで、地下水位が低下してエア流入部１１から内管５内に少量の空気が流入して内管５内の圧力を上昇させると、内管５内の圧力上昇を圧力検出手段１２が検出し、内管内の圧力が所定値以上に達すると、揚水量調整手段１３を構成する流量調整弁により揚水量を減らす。これにより、揚水手段９による揚水を中止することなく継続することが可能になる。尚、圧力検出手段１２による検出値を肉眼で確認し、手動により流量調整弁を調整して揚水量を調整しても良い。あるいは、図８の地下水揚水装置に示すように、圧力検出手段１２による検出信号を制御部２０に出力し、制御部２０の制御信号により流量調整弁を制御して揚水量を調整してもよい。
上記のようにして圧力検出手段１２により検出した内管５内の圧力変化に基づいて揚水量調整手段１３により揚水量を調整する場合、エア流入部１１を図２乃至図７に示すようにスリット２２やエア抜き用孔２３により構成すれば、地下水位が低下するほどエア流入部１１を介して内管５内に流入する空気量が増加する。この空気流入による内管５内の圧力変化を圧力検出手段１２により検出しながら、地下水位が安定するまで揚水量調整手段１３による揚水量の調整を繰り返す。内管５内の圧力が安定した時、地下水位が安定した状態になったとみなして揚水量の調整を止め、安定した揚水量で継続して揚水する。つまり、揚水量調整手段１３で揚水量の調整が十分でなく、地下水の低下が続いて地下水流入口７まで地下水が低下してしまうという状況を回避し、安定した揚水量で継続して揚水作業を行うことができる。
また、地下水の水量が多く、高機能の揚水手段９により大量の地下水を揚水する場合においても、上記と同様にして地下水位が低下してエア流入部１１に至ると内管５内に少量の空気が流入して内管５内の圧力が変化する。内管５内の圧力変化は、圧力検出手段１２により検出され、圧力検出手段１２からの出力に基づいて揚水量調整手段１３が揚水量を調整する。地下水量が多い場合、地下水量が低下するとエア流入部１１から流入する地下水の水位変動が激しい。このため、エア流入部１１から内管内に流入する空気量が不安定となりやすい。このような場合は、図４乃至図７に示すように、下部の開口量が上部の開口量よりも大きいエア流入部１１を設ければ、水位低下に対して空気流入量が二次関数的に増大して、エア流入部１１における水位変動をより正確に検出できる。内管５内の圧力上昇の正確な検出は、揚水手段９による安定した揚水作業をもたらす。
ところで、本発明においては、地盤１中に形成された従来のディープウエル工法の井戸や、バキュームディープウエル工法の井戸や、あるいは地盤調査用試験井戸や、あるいはリチャージウェル等の各種口径の井戸を上記した本発明の地下水揚水装置に改良して再利用することができる。
一例として、ディープウエル工法の既設の井戸を本発明の揚水装置に変更する場合について説明する。すなわち、この例では既設の井戸を本発明の外管３として利用する。まず、外管３となる既設の井戸の上部外周と穿孔との間の埋め戻し土砂にモルタル等を注入して外管３となる既設の井戸の上部周囲をシールする。次いで、揚水管を引き抜き、外管３となる既設の井戸よりも直径が小さく、且つ外管とほぼ同じ長さの内管５を外管３内に挿入する。その後、内管５内に揚水ポンプを入れ、外管３上端部と内管５の上端部とを遮蔽部材６により遮蔽する。最後に、減圧手段８を配説すれば、既設の井戸を本発明の外管３として利用して本発明の地下水揚水装置に変更することができる。
図９に他の地下水揚水装置を示す。この揚水装置は、外管３の軸方向において通水部２を複数箇所設けた点に特徴がある。この場合は、外管３の軸方向の複数箇所で地下水を集水することができ、より効率よく集水作業を実施することができる。この揚水装置にエア流入部１１を設ける場合は、最も下部に位置する通水部２の上端よりも下方にエア流入部１１を設ける。エア流入部１１の形態は、前述のスリット２２、エア抜き用の孔２３のいずれでも良い。また、上記と同じ理由により、下部の開口量が上部の開口量よりも大きいエア流入部１１を設けることが好ましい。
図１０にさらに別の地下水揚水装置を示す。この揚水装置は、内管５内を加圧するための加圧手段１４と、内管５内に水を加圧注入するための水注入手段１５をさらに具備する点に特徴がある。この場合は、減圧手段８を構成する真空ポンプ２６が接続された接続管２７に切り替え弁２１を介して加圧手段１４を構成するコンプレッサが接続される。内管５には加圧ポンプよりなる水注入手段１５が接続される。加圧手段１４および水注入手段は、以下のように使用される。減圧手段８による減圧を停止し、切り替え弁２１を切り替えて加圧手段１４により内管５内を加圧する。さらに、揚水手段９による揚水を停止し、水注入手段１５により内管５内に加圧注水する。これにより、通水部２や外管３の周囲のフィルター材１６や地盤１の目詰まりを洗浄することができる。このようにして洗浄した後、前述のように揚水作業に切り替えて地下水を揚水すると、地下水の集水がスムーズに行えてより効率よく揚水することができる。尚、揚水作業と洗浄作業を交互に繰り返し実施することが好ましい。尚、ここで説明した加圧手段１４および水注入手段は、上記した地下水揚水装置にも同様に適用可能である。
【図面の簡単な説明】
図１は、地下水揚水装置の概略断面図である。
図２は、他の地下水揚水装置の概略断面図である。
図３は、さらに別の地下水揚水装置の概略断面図である。
図４は、本発明の好ましい実施例に基づく地下水揚水装置の概略断面図である。
図５は、本発明の好ましい実施例に基づく地下水揚水装置の概略断面図である。
図６は、本発明の他の好ましい実施例に基づく地下水揚水装置の概略断面図である。
図７は、本発明の他の好ましい実施例に基づく地下水揚水装置の概略断面図である。
図８は、地下水揚水装置の概略断面図である。
図９は、他の地下水揚水装置の概略断面図である。
図１０は、さらに別の地下水揚水装置の概略断面図である。
図１１は、従来例の地下水揚水装置の概略断面図である。
図１２は、特開平２０００−２７１７０号に記載の地下水揚水装置の概略断面図である。
【図１】
0003974851.tif 000002
【図２】
0003974851.tif 000003
【図３】
0003974851.tif 000004
【図４】
0003974851.tif 000005
【図５】
0003974851.tif 000006
【図６】
0003974851.tif 000007
【図７】
0003974851.tif 000008
【図８】
0003974851.tif 000009
【図９】
0003974851.tif 000010
【図１０】
0003974851.tif 000011
【図１１】
0003974851.tif 000012
【図１２】
0003974851.tif 000013